(57)【特許請求の範囲】
【請求項１】
台座上に立設された支柱の上端に連設された矩形箱型の本体ケーシングの立面部をなす前面パネルに、汚染空気を略水平方向に吸引する吸気口を設け、同吸気口の少なくとも上方側を含む複数個所に、前記吸気口の仮想軸線方向と直交方向に、浄化空気を送風して帯状のエアカーテンを形成する送風部を配設するとともに、前記吸気口の上方側に配設した送風部のさらに上側にのみ、前記帯状のエアカーテンと略平行となるように前記送風部の突出長さと略同幅の板状に形成された面体を庇状に設け、前記送風部からの送風を整流可能としたことを特徴とする空気清浄機。
【発明の詳細な説明】
【０００１】
【発明の属する技術分野】
本発明は、空気清浄機に関するものである。
【０００２】
【従来の技術】
従来、この種の空気清浄機として、特開平７−２０４４３６号公報に示されているように、テーブル式本体の上面に吸気口を設け、同吸気口の上部近傍に、複数個の送風機を周囲に立設した構造を有するものがあった。
【０００３】
前記送風機は柱状に構成されており、風を帯状に送風可能な貫流ファンと、これを回すモータとを具備し、吸引方向と送風方向とが９０°変わるように吸引開口及び送風開口が形成されている。
【０００４】
かかる構成により、送風機からの帯状の送風と吸気口の吸引力とにより人工龍巻が生起されて旋回吸引気流となり、比較的に小型でありながら、周辺の塵埃や臭い等を効率良く捕集して汚染空気を浄化することができる、とされている。
【０００５】
【発明が解決しようとする課題】
ところが、上記した従来の空気清浄機は、送風機から帯状に送風する際に、その外側の空気を巻き込んで送風が減速されてしまい、十分な長さの帯状のエアカーテンを形成することができず、吸引気流の旋回力も弱まって吸引効率が低下してしまうという問題があった。
【０００６】
また、上記構成の空気清浄機では、旋回吸引気流は上方から下方へ向かうために、水平方向に広がる室内全体からは広範囲に効果的に汚染空気を吸引することができず、煙草の煙等の臭いがいつまでも残ることが多かった。
【０００７】
さらに、テーブル式としているために、どうしても上面面積が広くなり、室内における占有面積が大きくなってしまっていた。
【０００８】
本発明は、上記課題を解決することのできる空気清浄機を提供することを目的としている。
【０００９】
【課題を解決するための手段】
本発明では、台座上に立設された支柱の上端に連設された矩形箱型の本体ケーシングの立面部をなす前面パネルに、汚染空気を略水平方向に吸引する吸気口を設け、同吸気口の少なくとも上方側を含む複数個所に、前記吸気口の仮想軸線方向と直交方向に、浄化空気を送風して帯状のエアカーテンを形成する送風部を配設するとともに、前記吸気口の上方側に配設した送風部のさらに上側にのみ、前記帯状のエアカーテンと略平行となるように前記送風部の突出長さと略同幅の板状に形成された面体を庇状に設け、前記送風部からの送風を整流可能な空気清浄機とした。したがって、送風部から帯状に送風する際に、面体によって送風が整流され、その外側の空気を巻き込んで送風が減速されることがなくなり、十分な長さの帯状のエアカーテンを形成することができる。しかも、エアカーテンを形成する送風の流速が早いので、エアカーテンの内側に大きな負圧が生じ、上方空間の汚染空気を誘引することができるため、より広い空間から汚染空気を誘引することができる。
【００１１】
【発明の実施の形態】
本実施形態に係る空気清浄機は、台座上に立設された支柱の上端に連設された矩形箱型の本体ケーシングの立面部をなす前面パネルに、汚染空気を略水平方向に吸引する吸気口を設け、同吸気口の少なくとも上方側を含む複数個所に、前記吸気口の仮想軸線方向と直交方向に、浄化空気を送風して帯状のエアカーテンを形成する送風部を配設するとともに、前記吸気口の上方側に配設した送風部のさらに上側にのみ、前記帯状のエアカーテンと略平行となるように前記送風部の突出長さと略同幅の板状に形成された面体を庇状に設け、前記送風部からの送風を整流可能としたものである。
【００１２】
すなわち、送風部から帯状に送風する際に、面体を設けたことによって送風が整流されるとともに、その外側の空気を巻き込んで送風が減速されることがなくなり、十分な長さの帯状のエアカーテンを形成することができる。しかも、エアカーテンを形成する送風の流速が早いので、エアカーテンの内側が減圧されて大きな負圧が生じ、より広い空間から汚染空気を誘引することができるので集塵効率を高ることができる。
【００１３】
本発明を実施する場合、吸気口を本体ケーシングの立面部に設け、汚染空気を水平方向に吸引するようにすれば、浄化空間の隅部等に設置可能なコンパクトな移動式の空気清浄機を構成することができる。
【００１４】
例えば、２個の送風部を、本体ケーシングの立面部に設けた吸気口の上下位置に点対象となるように設けて送風方向を逆向きにするか、あるいは、４個の送風部を吸気口の上下左右各位置にそれぞれ１個ずつ配設し、同一周方向に隣接する他の送風部側に送風して、上下左右にそれぞれ帯状のエアカーテンを形成するようにし、そのうちの少なくとも上方側のエアカーテンの上方位置に、前記面体を庇状に設ければよい。
【００１５】
かかる構成とすれば、前者では、逆向きの一対の帯状のエアカーテンと、吸気口の吸引力とにより吸気流が旋回流となり、さらに、吸気口上方のエアカーテンの内側に大きな負圧が生じるので、上方空間から汚染空気を誘因しやすくなって、吸引・浄化効率をより高めることができる。
【００１６】
また、後者では、吸気口の中心を通る仮想軸周りに吸気口全体を内包する略筒状のエアカーテンが形成され、塵埃や煙草の煙の拡散を防止することができるとともに、このエアカーテンと吸気口の吸引力とにより旋回流が強力な人工龍巻として作用し、しかも、この場合でも吸気口上方のエアカーテンの内側に大きな負圧が生じるので、上方空間から汚染空気を誘因しやすくなって、吸引・浄化効率をより高めることができる。
【００１７】
あるいは、吸気口の上方側にのみ帯状のエアカーテンが略水平に形成されるように単一の送風部を配設し、同送風部の上側に、前記帯状のエアカーテンと略平行な庇状の面体を設けてもよい。
【００１８】
かかる構成であっても、上述したように、送風が整流されてその外側の空気を巻き込んで送風が減速されることがなくなり、十分な長さの帯状のエアカーテンを形成することができる。しかも、エアカーテンを形成する送風の流速が早くなるので、エアカーテンの内側に大きな負圧が生じ、エアカーテンの上方空間から汚染空気を誘引することができることになる。
【００２１】
このように、本発明では、送風部の外側方に、帯状のエアカーテンと略平行な面体を設けたことで吸引効率を向上させることができ、移動自在で比較的にコンパクトであり、かつ強力な吸引力を有する高性能な空気清浄機を提供することができる。したがって、かかる空気清浄機を室内のいかなる場所に設置しても室内の有効スペースを十分確保しながら効率的に空気清浄を行え、例えば、空間の隅部等に設置しても空間上部に滞留しやすい煙草の煙などを効率的に吸引・浄化することができる。
【００２２】
なお、移動可能な空気清浄機とする場合、キャスタ等の移動用部品を設けた構成とすると使い勝手が良好となる。
【００２３】
以下、添付図に示す実施例に基づいて、本発明を具体的に説明する。
【００２４】
図１は本実施例に係る空気清浄機Ａの設置状態を示す説明図、図２は同空気清浄機Ａの正面図、図３は同側面図、図４は空気清浄機Ａの本体ケーシング４の横断面図である。
【００２５】
図１〜図４に示すように、本実施例に係る空気清浄機Ａは移動自在に設置可能なスタンド式に構成されており、下面に複数のキャスタ11を設けた円形の台座１上に支柱２を立設し、同支柱２の上端に、空気清浄機能部３を設けた本体ケーシング４を連設し、同本体ケーシング４の立面をなす前面パネル41に吸気口５と排気口６を設け、汚染空気を略水平方向に吸引・浄化し、浄化空気として排出するようにしている。
【００２６】
本実施例に係る本体ケーシング４は、縦、横、幅の寸法を約800mm 、700mm 、350mm とした矩形の箱型とするとともに、台座１の直径を約800mm 、支柱２の高さは、本体ケーシング４に設けた吸気口５の中心が床上から1000〜2000mmの範囲内に位置するように設定し、例えば空気清浄機Ａの近傍で喫煙した場合に煙草の煙等が円滑に吸引されるようにしている。なお、本実施例では、支柱２の高さを約1200mmとしている。
【００２７】
図４に示するように、本体ケーシング４は、ファン31及び同ファン31を駆動するモータ32を内蔵するとともに、本体ケーシング４の前面パネル41に、除塵作用及び消臭作用を有する空気浄化用のフィルタ33を収納したフィルタ収納用凹部42を連続形成している。そして、これらのファン31、モータ32、フィルタ33、吸気口５、排気口６などから空気清浄機能部３を構成している。
【００２８】
前記フィルタ収納用凹部42は、蓋体43を開閉自在に取付けた前面開口部と奥部壁44とからなり、蓋体43に、ファン31の輪郭に見合う大径の吸気口５を設ける一方、奥部壁44に、ファン31の吸気部分の面積に見合う大きさの円形の連通口45を設けている。なお、本実施例における吸気口５の面積は約1500cm2 、連通口45の面積は約660cm2  である。
【００２９】
さらに、奥部壁44から前方に一定の間隔ｔをあけてメッシュ状の仕切壁46を設け、同仕切壁46と蓋体43との間に、吸気口５全体よりも若干大きなフィルタ33を着脱自在に収納配設している。なお、本実施例における間隔ｔは約30mmに設定している。また、図中、47は蓋体43を枢支する枢支ピンである。
【００３０】
そして、やや縦長矩形形状に形成された本体ケーシング４の前面パネル41の四隅部分に排気口６をそれぞれ形成するとともに、各排気口６に送風部となる送風ダクト７を連通状態に突設し、ファン31の駆動により吸気口５から吸入されてフィルタ33を通過した清浄空気を、送風ダクト７に形成した送気口71から帯状のエアカーテン８として送風可能としている。
【００３１】
すなわち、図１に示すように、４個の送風ダクト７の各送気口71を同一周方向に隣接する他の送風ダクト７側に向けることにより、前記吸気口５の中心を通る仮想軸周りに、吸気口５全体を内包する略筒状のエアカーテン80を形成するようにしている。
【００３２】
上記したように、略筒状のエアカーテン80を形成したことにより、空気清浄機Ａを作動させると、吸気口５へ向かう吸引流は、図１に示すように旋回流ｆとなって人工龍巻を生起し、広範囲の汚染空気を強力かつ効率的に吸気口５から吸引することができ、フィルタ33を通過させて塵埃や異臭を捕集して浄化することができる。
【００３３】
しかも、各送風ダクト７からの送風の一部は、送風ダクト７の外側を通過するようにしているので、送風が旋回流ｆを発生させるだけでなく、エアカーテン８の外側の空気を筒状のエアカーテン80の内側に誘引させることができる。
【００３４】
また、吸気口５から空気を吸引する際に、フィルタ33とフィルタ収納用凹部42の奥部壁44に設けた連通口45との間には、前述したように間隔ｔを設けているので、吸気口５を、ファン31の吸気部分の面積に見合う大きさの連通口45よりもかなり大径にしても、図４に示すように、吸気口５の端縁近傍からも空気が吸入されてフィルタ33の端縁近傍を円滑に通過することができ、吸気口５を大径にした分だけ大量の汚染空気を吸引し浄化できるようになって、空気清浄能力を向上させることができる。
【００３５】
また、本実施例では、各送風ダクト７間の距離に対して、送風ダクト７の突出長さＬを短くし、帯状のエアカーテン８の面積Ｓを吸気口５の面積よりも小さくなるようにしているので、送風ダクト７により形成される帯状のエアカーテン８の幅が短くなる一方、この帯状のエアカーテン８に対して十分な広さの吸気口５からの吸引力によって、エアカーテン８の外側の汚染空気も同エアカーテン８を乗り越えて吸気口５から吸引されることになり、エアカーテン８の外側方に吸引できない空気溜まりを生じることがなくなって吸引領域が著しく広がる。
【００３６】
すなわち、本実施例では、送風ダクト７の突出長さＬを210mm に設定し、縦向きの帯状のエアカーテン８の面積Ｓを約1300cm2 として吸気口５の面積よりも小さくなるようにしている。
【００３７】
上記構成により、吸引領域が吸気口５の前方のみならず四方全体にわたって広がり、図１に示すように、たとえば室内の隅部Ｃに設置して使用しても十分な空気清浄を図ることができる。
【００３８】
しかも、送風ダクト７の突出長さＬを短くしたことによって、これが邪魔になることもなく、また、外観的にも美観を損なうことがない。
【００３９】
さらに、本実施例では、図２及び図６に示すように、前記送風ダクト７をその取付面となる本体ケーシング４の表面から先端に向けて漸次拡開状に突設している。
【００４０】
かかる構成により、各送風ダクト７からの送風の一部が確実に隣接する送風ダクト７の外側を通過し、前述したように、送風が旋回流ｆを発生させるだけでなく、帯状のエアカーテン８の外側の空気を内側に誘引させることができるとともに、形成される略筒状のエアカーテン80が先広がりの喇叭状となって、吸引領域を拡大することができ、比較的にコンパクトでありながら広範囲にわたる空気清浄化が可能となる。
【００４１】
なお、本実施例における送風ダクト７は、誤って人体がぶつかったりしても簡単に外れるように着脱自在の差し込み式としており、怪我させたりするおそれがないようにしている。
【００４２】
上記構成の空気清浄機Ａにおいて、本発明の特徴となるのは、送風部をなす送風ダクト７の外側方に、前記帯状のエアカーテン８と略平行な面体として送風ガイド板10を設けたことにある。
【００４３】
本実施例では、同送風ガイド板10を、吸気口５の上側の左右に位置する送風ダクト7,7 のさらに上側に庇状に設けている。
【００４４】
すなわち、図１〜図３に示すように、送風ガイド板10は、送風ダクト７の突出長さＬと略同幅の板状に形成されており、本体ケーシング４の上面に後縁を取付けるとともに、拡開した送風ダクト７にあわせて前縁をやや上方に向けて庇状に張出させ、右上側の送風ダクト７からの送風により形成される帯状のエアカーテン８と略平行となるように配設している。
【００４５】
したがって、送風ダクト７から帯状に送風すると、この送風ガイド板10によって送風が整流され、その外側の空気を巻き込んで送風が減速されることがなくなって十分な長さの帯状のエアカーテン８を形成することができる。
【００４６】
しかも、かかる帯状のエアカーテン８を形成する送風の流速が早くなるので、同エアカーテン８の内側が減圧されて大きな負圧が生じ、上方空間の汚染空気を誘引することができるので、より広い空間の汚染空気を集塵でき、浄化効率を向上させることができる。
【００４７】
特に、煙草の煙等は上方に滞留しやすいが、上記構成としたことで、煙を効果的に吸引し、室内に煙草の臭い等が充満することを防止できる。
【００４８】
上記してきた実施例では、送風ガイド板１０を、本体ケーシング４の上面にのみ取付けている。図５は本体ケーシング４の四方に配設して、各送風ダクト７からの送風をガイドして整流した参考例である。
【００５０】
さらに本実施例では、図６及び図７に示すように、前記各送風ダクト７の送気口71を形成する端面70を傾斜面となし、この傾斜した送気口71に、長手方向に間隔をあけて複数の整流フィン72を並設し、しかも、同整流フィン72を、本体ケーシング４側から先端側に向かって漸次後側方にずらし、さらに、同整流フィン72は本体ケーシング４の表面に対して平行となるように、送風ダクト７に対しては傾斜させて配置している。
【００５１】
送風ダクト７を上記構成とすることにより、図７の矢印f1で示すように、送風ダクト７から均一な送風が可能となり、送風ガイド板10の作用とあいまって乱流の発生や送風が直接吸気口５に吸引されたりすることが防止されて送風効率が良好となり、帯状のエアカーテン８、ひいては筒状のエアカーテン80を形成しやすくなり、人工龍巻を円滑に発生させて汚染空気の吸引・浄化を促進することができる。
【００５２】
また、良好な帯状のエアカーテン８が形成されることで、同エアカーテン８の内側に負圧を生じ、周辺の汚染空気の吸引が促進される。
【００５３】
なお、本実施例に係る空気清浄機Ａの操作は、前面パネル41の蓋体43の下方位置に設けた操作盤９により行うようにしている。操作盤９をかかる位置に設けたことにより、操作時に送風ダクト７からの送風を体感することができ、空気清浄機Ａが正常に作動しているかどうかを確認することができる。
【００５４】
また、キャスタ11を設けた台座１を円形としているので、移動が容易で、室内の隅部Ｃへの設置も容易に行える。
【００５５】
さらに、本実施例に係る本体ケーシング４の上面にはフック48を設けており、図３に示すように、同フック48と壁体とを紐体を介して連結して転倒防止を図っている。
【００５６】
図８に参考例としての空気清浄機Ａを示している。
【００５７】
これは、送風ガイド板10を本体ケーシング４と一体的に構成したもので、送風ガイド板10と同様な機能を果たすように、本体ケーシング４の前面周縁に送風ガイド壁10a を一体的に連設している。
【００５８】
そして、送風ガイド壁10a 内にファン31と連通する送風路を形成するとともに、同送風ガイド壁10a の端部にそれぞれ送気口71' を開口し、送風ガイド壁10a の内側面に沿って送風するようにしている。72' は送気口71' 内に多数並設した整流フィンである。
【００５９】
この場合は、送風ガイド壁10a によって外側の空気が送風に巻き込まれることは全くないので送風は十分は速さとなり、形成される帯状のエアカーテン８の内側に大きな負圧が生じ、送風ガイド壁10a の外方空間の汚染空気を誘引することができるとともに、送風ガイド壁10a の内部にあっては強力な人工龍巻が生起されて大きな吸引力を発揮することができる。
【００６０】
なお、他の構成は先の実施例と同様なのでここでの説明は省略する。
【００６２】
また、他の参考例として、図９に示すように、２個の送風ダクト７を、本体ケーシング４の上下位置に点対象となるように設けて送風方向を逆向きにし、両送風ダクト7,7 の上方に送風ガイド板10をそれぞれ設けたものがある。勿論、送風ガイド板10は片側のみに配設しても構わないが、この場合は上側に配設することが好ましい。
【００６３】
また、図示はしないが、例えば吸気口５の上方側にのみ帯状のエアカーテン８が略水平に形成されるように単一の送風ダクト７を配設し、同送風ダクト７の上側に、送風ガイド板10を庇状に設けることもできる。
【００６５】
以上、実施例を通して説明してきたように、本発明によれば、空気清浄機Ａは移動自在で比較的にコンパクトでありながら、本体ケーシング４の側方の汚染空気も吸引・浄化できる高性能のものとすることができ、室内のいかなる場所に設置しても室内の有効スペースを十分確保しながら効率的に空気清浄を行うことができる。
【００６６】
なお、上記各実施例では、台座１は円形としたがその形状に限定されるものではなく、また、本体ケーシング４を支柱２に固設したものとしているが、上下左右に首振自在に取付ける構造としてもよい。また、支柱２を円筒状の固定柱とせずに、伸縮自在に構成して本体ケーシング４の高さ位置を調整可能とすることもできる。
【００６７】
さらに、空気清浄機能部３の要部をなすフィルタ33の種類や配設する数は何ら限定されず、除塵、消臭作用を有するものであれば何を用いてもよい。また、フィルタ33に加え、塵埃を荷電して電気的に集塵する装置等を組み込んでもよい。
【００６８】
【発明の効果】
以上説明してきたように、本発明では以下の効果を奏する。
【００６９】
請求項１記載の本発明では、台座上に立設された支柱の上端に連設された矩形箱型の本体ケーシングの立面部をなす前面パネルに、汚染空気を略水平方向に吸引する吸気口を設け、同吸気口の少なくとも上方側を含む複数個所に、前記吸気口の仮想軸線方向と直交方向に、浄化空気を送風して帯状のエアカーテンを形成する送風部を配設するとともに、前記吸気口の上方側に配設した送風部のさらに上側にのみ、前記帯状のエアカーテンと略平行となるように前記送風部の突出長さと略同幅の板状に形成された面体を庇状に設け、前記送風部からの送風を整流可能な空気清浄機としたことにより、送風部から帯状に送風する際に、面体によって送風が整流され、その外側の空気を巻き込んで送風が減速されることがなくなり、十分な長さの帯状のエアカーテンを形成することができる。しかも、エアカーテンを形成する送風の流速が早いので、エアカーテンの内側に大きな負圧が生じ、より広い空間から汚染空気を誘引することができるので集塵効率が高まる。
【図面の簡単な説明】
【図１】第１実施例に係る空気清浄機の設置状態を示す説明図である。
【図２】同空気清浄機の正面図である。
【図３】同空気清浄機の側面図である。
【図４】本体ケーシングの横断面図である。
【図５】送風状態を示す説明図である。
【図６】送風ダクトの正面図である。
【図７】図６のＩ−Ｉ線における断面図である。
【図８】第２実施例に係る空気清浄機の説明図である。
【図９】第１実施例の変形例に係る空気清浄機の説明図である。
【符号の説明】
Ａ  空気清浄機
４  本体ケーシング
５  吸気口
７  送風ダクト（送風部）
８  帯状のエアカーテン
10  送風ガイド板（面体）
【図１】
0004176879.tif 000002
【図２】
0004176879.tif 000003
【図３】
0004176879.tif 000004
【図４】
0004176879.tif 000005
【図５】
0004176879.tif 000006
【図６】
0004176879.tif 000007
【図７】
0004176879.tif 000008
【図８】
0004176879.tif 000009
【図９】
0004176879.tif 000010